(57)【要約】      （修正有）【課題】テレビ受信機において、選択された地域以外の受信チャンネルも組み入れて、地域チャンネル設定を行うこと。【解決手段】ひとつの地域におけるテレビ放送局の識別用番号、周波数チャンネル、及びテレビ受信機での表示チャンネルの対照テーブルと、当該地域をあらわすエリアコードと、当該地域に地理的に隣接する地域をあらわす隣接エリアコードとを有する複数個の地域チャンネルマップを蓄積するし、複数個のひとつの地域チャンネルマップを選択する手段、隣接地域に関する地域チャンネルマップにおいて、放送局識別番号の当該選択地域チャンネルマップにおける周波数チャンネルと当該隣接地域の地域チャンネルマップにおける周波数チャンネルとを受信して画面表示し、ユーザーが選択した周波数チャンネルで選択地域チャンネルマップにおける周波数チャンネルを取り替える手段からなる隣接地域チャンネル設定装置を持つ。【選択図】図１
2005260760.tif 000002
【特許請求の範囲】
【請求項１】
ひとつの地域におけるテレビ放送局の識別用番号、周波数チャンネル、及びテレビ受信機での表示チャンネルの対照テーブルと、当該地域をあらわすエリアコードと、当該地域に地理的に隣接する地域をあらわす隣接エリアコードとをそれぞれ有する複数個の地域チャンネルマップを蓄積する手段と、
当該複数個のひとつの地域チャンネルマップを選択する手段と、
当該ひとつの選択地域チャンネルマップに含まれる放送局識別用番号を、当該ひとつの選択地域チャンネルマップに含まれる隣接エリアコードがあらわす隣接地域に関する地域チャンネルマップにおいて検出する手段と、
当該検出放送局識別番号の当該選択地域チャンネルマップにおける周波数チャンネルと当該隣接地域の地域チャンネルマップにおける周波数チャンネルとを受信して画面表示する手段と、
ユーザーがいずれかの周波数チャンネルを選択する手段と、
当該選択した周波数チャンネルで選択地域チャンネルマップにおける周波数チャンネルを取り替える手段と、
からなる地域チャンネル設定装置を持つテレビ受信機。
【請求項２】
ひとつの地域におけるテレビ放送局の識別用番号、周波数チャンネル、及びテレビ受信機での表示チャンネルの対照テーブルと、当該地域をあらわすエリアコードと、当該地域に地理的に隣接する地域をあらわす隣接エリアコードとをそれぞれ有する複数個の地域チャンネルマップを蓄積する手段と、
当該複数個のひとつの地域チャンネルマップを選択する手段と、
当該ひとつの選択地域チャンネルマップに含まれる放送局識別用番号を、当該ひとつの選択地域チャンネルマップに含まれる隣接エリアコードがあらわす隣接地域に関する地域チャンネルマップにおいて検出する手段と、
当該検出放送局識別用番号の隣接地域の地域チャンネルマップにおける受信周波数チャンネルを受信できるか否かを判定する手段と、
当該隣接地域の地域チャンネルマップにおける当該受信周波数チャンネルを受信できると当該判定手段が判定する場合、当該隣接地域の地域チャンネルマップにおける周波数チャンネルを当該選択地域チャンネルマップにおける当該放送局識別番号に関連付ける手段と、
当該関連付けられた放送局識別番号の当該選択地域チャンネルマップにおける周波数チャンネルと当該隣接地域の地域チャンネルマップにおける周波数チャンネルとを受信して画面表示する手段と、
ユーザーがいずれかの周波数チャンネルを選択する手段と、
当該選択した周波数チャンネルで当該選択地域チャンネルマップにおける周波数チャンネルを取り替える手段と、
からなる地域チャンネル設定装置を持つテレビ受信機。
【請求項３】
ひとつの地域におけるテレビ放送局の識別用番号、周波数チャンネル、及びテレビ受信機での表示チャンネルの対照テーブルと、当該地域をあらわすエリアコードと、当該地域に地理的に隣接する地域をあらわす隣接エリアコードとをそれぞれ有する複数個の地域チャンネルマップを蓄積する手段と、
当該複数個のひとつの地域チャンネルマップを選択する手段と、
当該ひとつの選択地域チャンネルマップに含まれる放送局識別用番号を、当該ひとつの選択地域チャンネルマップに含まれる隣接エリアコードがあらわす隣接地域に関する地域チャンネルマップにおいて検出する手段と、
当該検出放送局識別用番号の隣接地域の地域チャンネルマップにおける受信周波数チャンネルを受信できるか否かを判定する手段と、
判定結果を受信周波数ごとに蓄積する手段と、
当該隣接地域の地域チャンネルマップにおける当該受信周波数チャンネルを受信できると当該判定手段が判定し、または、当該判定結果蓄積手段が表示する場合、当該隣接地域の地域チャンネルマップにおける周波数チャンネルを当該選択地域チャンネルマップにおける当該放送局識別番号に関連付ける手段と、
当該関連付けられた放送局識別番号の当該選択地域チャンネルマップにおける周波数チャンネルと当該隣接地域の地域チャンネルマップにおける周波数チャンネルとを受信して画面表示する手段と、
ユーザーがいずれかの周波数チャンネルを選択する手段と、
当該選択した周波数チャンネルで当該選択地域チャンネルマップにおける周波数チャンネルを取り替える手段と、
からなる地域チャンネル設定装置を持つテレビ受信機。
【請求項４】
ひとつの地域におけるテレビ放送局の識別用番号、周波数チャンネル、及びテレビ受信機での表示チャンネルの対照テーブルと、当該地域をあらわすエリアコードと、当該地域に地理的に隣接する地域をあらわす隣接エリアコードとをそれぞれ有する複数個の地域チャンネルマップを蓄積し、
当該複数個のひとつの地域チャンネルマップを選択し、
当該ひとつの選択地域チャンネルマップに含まれる放送局識別用番号を、当該ひとつの選択地域チャンネルマップに含まれる隣接エリアコードがあらわす隣接地域に関する地域チャンネルマップにおいて検出し、
当該検出放送局識別番号の当該選択地域チャンネルマップにおける周波数チャンネルと当該隣接地域の地域チャンネルマップにおける周波数チャンネルとを受信して画面表示し
ユーザーがいずれかの周波数チャンネルを選択し、
当該選択した周波数チャンネルで選択地域チャンネルマップにおける周波数チャンネルを取り替える、
工程を含むテレビ受信機における地域チャンネル設定方法。
【発明の詳細な説明】
【技術分野】
【０００１】
この発明は、改良された地域チャンネル設定装置を持つテレビ受信機における隣接地域チャンネル設定方法に関する。
【背景技術】
【０００２】
テレビ受信機は、ある地理的エリアである地域ごとに、チャンネル設定を行う。しかし、テレビ受信機を使用する場所が、そのエリアの周辺である場合、そのテレビ受信機が受信できる放送局の現実のチャンネルが、いずれの地域のチャンネルマップに合致しない場合がある。その場合は、手動でチャンネル設定をする必要があり、これは、ユーザーに大きな手間をかけることになる。
【０００３】
特許文献１には、チャンネル設定するために、細分された地域エリアを用意して、ユーザーに選択を繰り返させてエリアを限定する方法が開示されている。しかし、これには、細分化されたエリアごとのチャンネルデータベースが必要であり、膨大な蓄積容量が必要になる。また、細分されているとは言え、地域エリアに拘束されてしか、チャンネル設定が行えない。たとえば、選択した地域エリアに必要なチャンネルがなければ、まったく手動で、設定する必要がある。
【０００４】
特許文献２では、チャンネルマップの地域を選択するために、放送波を受信できる受信チャンネルを検出する有局検出した結果から、また、文字放送波の局コードから同じパターンの地域を限定する試みがなされている。しかし、この先行技術も、一旦、チャンネルマップの地域を決定すると、それの範囲内でしか、チャンネル設定が行えない。別の地域のチャンネルを加入させることができない。また、すべての受信チャンネルに関して有局判断を行うために、時間がかかる。
【０００５】
【特許文献１】特許出願公開番号特開平９−６５２２７号公報
【特許文献２】特許出願公開番号特開平２００２−１０１３６１号公報
【発明の開示】
【発明が解決しようとする課題】
【０００６】
この発明の課題は、テレビ受信機において、先行技術の上記のような欠点なしに、時間をかけることなく、また手動でチャンネルを入力したりするなどの手間をかけることなく、さらに、選択された地域以外の受信チャンネルも組み入れて、地域チャンネル設定を行うことである。
【課題を解決するための手段】
【０００７】
この課題は、この発明にしたがって、ひとつの地域におけるテレビ放送局の識別用番号、周波数チャンネル、及びテレビ受信機での表示チャンネルの対照テーブルと、当該地域をあらわすエリアコードと、当該地域に地理的に隣接する地域をあらわす隣接エリアコードとをそれぞれ有する複数個の地域チャンネルマップを蓄積する手段と、当該複数個のひとつの地域チャンネルマップを選択する手段と、当該ひとつの選択地域チャンネルマップに含まれる放送局識別用番号を、当該ひとつの選択地域チャンネルマップに含まれる隣接エリアコードがあらわす隣接地域に関する地域チャンネルマップにおいて検出する手段と、当該検出放送局識別番号の当該選択地域チャンネルマップにおける周波数チャンネルと当該隣接地域の地域チャンネルマップにおける周波数チャンネルとを受信して画面表示する手段と、ユーザーがいずれかの周波数チャンネルを選択する手段と、当該選択した周波数チャンネルで選択地域チャンネルマップにおける周波数チャンネルを取り替える手段と、からなる地域チャンネル設定装置を持つテレビ受信機によって、達成される。
【０００８】
また、この課題は、ひとつの地域におけるテレビ放送局の識別用番号、周波数チャンネル、及びテレビ受信機での表示チャンネルの対照テーブルと、当該地域をあらわすエリアコードと、当該地域に地理的に隣接する地域をあらわす隣接エリアコードとをそれぞれ有する複数個の地域チャンネルマップを蓄積する手段と、当該複数個のひとつの地域チャンネルマップを選択する手段と、当該ひとつの選択地域チャンネルマップに含まれる放送局識別用番号を、当該ひとつの選択地域チャンネルマップに含まれる隣接エリアコードがあらわす隣接地域に関する地域チャンネルマップにおいて検出する手段と、当該検出放送局識別用番号の隣接地域の地域チャンネルマップにおける受信周波数チャンネルを受信できるか否かを判定する手段と、当該隣接地域の地域チャンネルマップにおける当該受信周波数チャンネルを受信できると当該判定手段が判定する場合、当該隣接地域の地域チャンネルマップにおける周波数チャンネルを当該選択地域チャンネルマップにおける当該放送局識別番号に関連付ける手段と、当該関連付けられた放送局識別番号の当該選択地域チャンネルマップにおける周波数チャンネルと当該隣接地域の地域チャンネルマップにおける周波数チャンネルとを受信して画面表示する手段と、ユーザーがいずれかの周波数チャンネルを選択する手段と、当該選択した周波数チャンネルで当該選択地域チャンネルマップにおける周波数チャンネルを取り替える手段と、からなる地域チャンネル設定装置を持つテレビ受信機によって、達成される。
【０００９】
さらに、この課題は、ひとつの地域におけるテレビ放送局の識別用番号、周波数チャンネル、及びテレビ受信機での表示チャンネルの対照テーブルと、当該地域をあらわすエリアコードと、当該地域に地理的に隣接する地域をあらわす隣接エリアコードとをそれぞれ有する複数個の地域チャンネルマップを蓄積する手段と、当該複数個のひとつの地域チャンネルマップを選択する手段と、当該ひとつの選択地域チャンネルマップに含まれる放送局識別用番号を、当該ひとつの選択地域チャンネルマップに含まれる隣接エリアコードがあらわす隣接地域に関する地域チャンネルマップにおいて検出する手段と、当該検出放送局識別用番号の隣接地域の地域チャンネルマップにおける受信周波数チャンネルを受信できるか否かを判定する手段と、判定結果を受信周波数ごとに蓄積する手段と、当該隣接地域の地域チャンネルマップにおける当該受信周波数チャンネルを受信できると当該判定手段が判定し、または、当該判定結果蓄積手段が表示する場合、当該隣接地域の地域チャンネルマップにおける周波数チャンネルを当該選択地域チャンネルマップにおける当該放送局識別番号に関連付ける手段と、当該関連付けられた放送局識別番号の当該選択地域チャンネルマップにおける周波数チャンネルと当該隣接地域の地域チャンネルマップにおける周波数チャンネルとを受信して画面表示する手段と、ユーザーがいずれかの周波数チャンネルを選択する手段と、当該選択した周波数チャンネルで当該選択地域チャンネルマップにおける周波数チャンネルを取り替える手段と、からなる地域チャンネル設定装置を持つテレビ受信機によって、達成される。
【００１０】
さらに、この課題は、ひとつの地域におけるテレビ放送局の識別用番号、周波数チャンネル、及びテレビ受信機での表示チャンネルの対照テーブルと、当該地域をあらわすエリアコードと、当該地域に地理的に隣接する地域をあらわす隣接エリアコードとをそれぞれ有する複数個の地域チャンネルマップを蓄積し、当該複数個のひとつの地域チャンネルマップを選択し、当該ひとつの選択地域チャンネルマップに含まれる放送局識別用番号を、当該ひとつの選択地域チャンネルマップに含まれる隣接エリアコードがあらわす隣接地域に関する地域チャンネルマップにおいて検出し、当該検出放送局識別番号の当該選択地域チャンネルマップにおける周波数チャンネルと当該隣接地域の地域チャンネルマップにおける周波数チャンネルとを受信して画面表示しユーザーがいずれかの周波数チャンネルを選択し、及び当該選択した周波数チャンネルで選択地域チャンネルマップにおける周波数チャンネルを取り替える工程を含むテレビ受信機における地域チャンネル設定方法によって、達成される。
【発明の効果】
【００１１】
この発明は、あらかじめ作成された地域チャンネルマップを選択し、その選択した地域チャンネルマップの地域の隣接地域のチャンネルマップも参照することにより、選択したメインチャンネルマップを変更して隣接地域を含めた受信可能なチャンネルマップを設定することができる。
【発明を実施するための最良の形態】
【００１２】
図1には、実施例である地域チャンネル設定装置を有するテレビ受信機がブロック図で示されている。このブロック図において、マイコン部１００はそのROM領域にエリアコードデータベース１１０が蓄積されている。このデータベース１１０は、複数個の表を持っている。ひとつの地域について、その地域に存在するテレビ放送局の識別用番号であるガイドチャンネル、その周波数チャンネルである受信チャンネル、及びテレビ受信機での表示チャンネルであるリモコンが使用するリモコンチャンネルの対照テーブルと、その地域をあらわすエリアコードと、当該地域に地理的に隣接する地域をあらわす隣接エリアコードとを有する。たとえば、エリアコードデータベース１１０は、表１に示すようなチャンネルマップデータを有する。
【００１３】
【表１】
2005260760.tif 000003
【００１４】
また、マイコン部１００はRAM領域１２０を有し、不揮発性外部メモリー３００を有する。このテレビ受信機は、チューナー選局部５００、受信信号の有無を識別する手段７０１とオンスクリーンディスプレー表示手段７０２を有する映像信号変換部７００、映像表示部８００、及び、リモコン入力部２００を有してなる。
【００１５】
この発明の実施例のマイコン部１００は図２と図３の次の動作を行うようにプログラムされている。
【００１６】
地域チャンネル設定を開始するために、ユーザーは図２の工程２２１で自身がメインエリアとしたい地域のエリアコード、たとえば、大阪をメインエリアとした場合、６３をリモコン入力部２００から入力する。すると、工程２２２で、表１の大阪のチャンネルマップをRAM領域１２０に読み出す。
【００１７】
次の工程２２３で、大阪のチャンネルマップ中、隣接地域として含まれているエリアコードで示される地域のチャンネルマップもRAM領域１２０に読み出す。すなわち、表２、表３及び表４にそれぞれ示すような神戸、京都、及び和歌山のチャンネルマップを読み出す。
【００１８】
【表２】
2005260760.tif 000004
【００１９】
【表３】
2005260760.tif 000005
【００２０】
【表４】
2005260760.tif 000006
【００２１】
次にマイコン部は、工程２２４で読み出されたメインエリアのチャンネルマップのガイドチャンネル中に、隣接エリアのガイドチャンネルに同じガイドチャンネルが存在するか否かを、検出する。メインエリアのチャンネルマップのガイドチャンネルについてひとつひとつについて、工程２２４は実行され、あるガイドチャンネルが隣接エリアのチャンネルマップの中に存在する場合、工程２２５で、そのガイドチャンネルの受信チャンネルについて、有局判定テーブルを参照する。有局判定テーブルは、RAM領域１２０上に領域を取って、形成され、表５のような内容となっている。
【００２２】
【表５】
2005260760.tif 000007
【００２３】
すなわち、各受信チャンネルごとに、実際に放送波を受信したか否かを受信信号有無判別部７０１が判別した結果を記録する。いまだ、受信信号有無判別部７０１が判別していない受信チャンネルは、未判別となっている。
【００２４】
工程２２５において、そのときの有局判定テーブル中に、その受信チャンネルが有局であると表示されているときは、メインエリアのガイドチャンネルにこの隣接エリアの受信チャンネルを関連付し、RAM領域１２０にその関連を記録する工程２２９が実行される。
【００２５】
工程２２５において、そのときの有局判定テーブル中に、その受信チャンネルが無局である表示されているときは、工程２３１に示すように、次のメインエリアのチャンネルマップのガイドチャンネルについて工程２２４が実行される。
【００２６】
工程２２５において、そのときの有局判定テーブル中に、その受信チャンネルが未判定である表示されているときは、その隣接エリアの受信チャンネルをチューナー選局部５００は選局する工程２２６が実行される。工程２２７において、受信信号有無判定部７０１が、その受信チャンネルが有局か否かを判定する。工程２２８と２３０で示すように、有局であれば、または、無局であれば、RAM領域１２０の表５の有局判定テーブルに、有局であると、または、無局であると記録する。有局であると判定され場合は、工程２２８で有局であると記録されるのみならず、工程２２９が、実行される。すなわち、メインエリアのガイドチャンネルにこの隣接エリアの受信チャンネルを関連付し、RAM領域１２０にその関連を記録する。
【００２７】
この操作を行うと、今の実施例の実例では、表１、表２、表３及び表４のチャンネルマップからわかるように、メインエリアのチャンネルマップ中のガイドチャンネル８が、隣接エリアのチャンネルマップに存在する。このガイドチャンネルのメインエリア及び隣接エリアのチャンネルマップでの受信チャンネル、８、２２及び４６はすべて有局であると仮定する。すると、図２の工程２２９からRAM領域１２０上に記録される関連付けのテーブルは、表６のようになる。
【００２８】
【表６】
2005260760.tif 000008
【００２９】
この発明の実施例である地域チャンネル設定装置は、図３の諸工程を通じて、この変更された受信チャンネルをユーザーが設定するか否かを選ぶ。
【００３０】
図３において、工程３３１で、表６の関連付けを、すなわち、メインエリアのガイドチャンネルに隣接エリアの受信チャンネルが関連付けられているか否かを一つ一つのチャンネルについて検出する（工程３４１）。
【００３１】
検出されると、マイコン部１００はOSD表示部７０２を介して図４に示すオンスクリーンディスプレーを表示する。関連付けられているエリア名と受信チャンネルを、アイテム４１、４２、及び４６として表示する。また、番組が同一か否かを選択するアイテム４０を表示する。マイコン部１００は、図３の工程３３２を実行するようにプログラムされている。すなわち、ユーザーが選択するアイテムに対応して、このオンスクリーンディスプレーの背景スクリーンに、その選択したチャンネルの画面が聴取できるようにプログラムされている。
【００３２】
ユーザーは、工程３３３において、聴取した画面の映像から、番組が同一か否かを判断し、アイテム４０で、同じか、または、異なるかを入力する。「はい」を選択すると、工程３３４において、図５の一チャンネル設定画面が表示される。エリア名と受信チャンネルとのアイテム５１，５２，５３がそのうちひとつを選択することができるように表示される（工程３３４）。そのひとつをユーザーが選択する（工程３３５）。すると、この受信チャンネルのテレビ受信機での表示チャンネル、すなわち、リモコンが使用するリモコンチャンネルはメインエリアのチャンネルマップにおけるそれに設定される。たとえば、神戸の受信チャンネル２２を選択すると、この受信チャンネルのリモコンチャンネルはメインエリアのチャンネルマップにおけるその受信チャンネル８の、リモコンチャンネル、すなわち、８に設定される。このように設定された受信チャンネルで、工程２２２でRAM領域１２０に読み出されたメインエリアのチャンネルマップ中の対応する受信チャンネルを上書きする工程３３６を実行する。
【００３３】
工程３３３において、聴取した画面の映像から、番組が同一でなく、異なると判断したとき、図４のオンスクリーンディスプレーのアイテム４０で、「いいえ」を選択すると、マイコン部は、工程３３７を実行する。工程３３７において、RAM領域１２０上のメインエリアのチャンネルマップから、受信チャンネルがないリモコンチャンネルを読み出し、隣接エリアのチャンネルマップのその受信チャンネルに割り振る。その割り振られるリモコンチャンネルとともに、工程３３８において、図６の多チャンネル設定画面が表示される。この例では、神戸の受信チャンネル２２と和歌山の受信チャンネル４６に、大阪のメインエリアチャンネルマップでは、空となっているリモコンチャンネル９及び１１がそれぞれ割り振られてアイテム６２及び６３に表示されている。アイテム６１はメインエリアの受信チャンネルとリモコンチャンネルである。ユーザーは、受信チャンネルに割り振られたリモコンチャンネルを任意に変更し、これらの受信チャンネルとリモコンチャンネルのセットのアイテムから、複数を選択する（工程３３９）。ユーザーが選択した受信チャンネルで、工程２２２でRAM領域１２０に読み出されたメインエリアのチャンネルマップ中の対応するリモコンチャンネルの受信チャンネルを上書きする工程３４０を実行する。
【００３４】
すべてのチャンネルについて工程３３１が実行されると、工程３４２が実行され、変更されたメインエリアチャンネルマップが不揮発性外部メモリー３００に読み込まれる。この変更されたチャンネルマップにしたがって、テレビ受信機はチャンネル設定を行う。
【００３５】
なお、上述の工程２２５で、ガイドチャンネルの受信チャンネルが有局か否か判定するとき、一度、判定をした受信チャンネルについては、判定結果を蓄積する有局判定テーブルをRAM領域１２０に有するが、これは、この発明の地域チャンネル設定装置の動作に必要な時間を短縮するためである。判定結果はこの有局判定テーブルに蓄積してあるので、実際にチューナー選局部５００で選局することなく、判定済みの受信チャンネルは、有局か無局かで処理できるので、実際に放送波が存在するかどうかを調べる時間が短縮できる。
【図面の簡単な説明】
【００３６】
【図１】この発明の実施したテレビ受信機のブロック図である。
【図２】図１の実施例の作動を示すフローチャートである。
【図３】図１の実施例の作動を示すフローチャートである。
【図４】図１の実施例がチャンネル確認のために発生するオンスクリーンディスプレーを示す。
【図５】図１の実施例が１チャンネル設定のために発生するオンスクリーンディスプレーを示す。
【図６】図１の実施例が多チャンネル設定のために発生するオンスクリーンディスプレーを示す。
【符号の説明】
【００３７】
１００  マイコン部
１２０  RAM領域
２００  リモコン入力部
３００  不揮発性外部メモリー
５００  チューナー選局部
７０１  受信信号の有無を識別する手段
７０２  オンスクリーンディスプレー表示手段
７００  映像信号変換部
８００  映像表示部
【図１】
2005260760.tif 000009
【図２】
2005260760.tif 000010
【図３】
2005260760.tif 000011
【図４】
2005260760.tif 000012
【図５】
2005260760.tif 000013
【図６】
2005260760.tif 000014